(57)【要約】【課題】駆動モータに付加される負荷を低減でき、駆動モータの起動を容易に行うことができる回転式圧縮機及び該回転式圧縮機を有する空気調和機を提供する。【解決手段】本発明は、回転式圧縮機及びこれを有する空気調和機に関し、本発明による回転式圧縮機は、回転軸と、前記回転軸の一側に結合されて回転力を提供する駆動モータと、前記回転軸の他側に偏心するように備えられて、前記駆動モータの下部に形成されたシリンダの内部を回転するローリングピストンを支持する回転カムと、前記ローリングピストンの上部及び下部に備えられ、前記回転軸を半径方向に支持する上部ラジアル軸受及び下部ラジアル軸受と、前記駆動モータと前記上部ラジアル軸受との間に備えられた第１支持部材と、前記回転カムと前記下部ラジアル軸受との間に備えられた第２支持部材とを有する軸方向支持部とを含むことを特徴とする。【選択図】図１
2008169827.tif 000002
【特許請求の範囲】
【請求項１】
回転式圧縮機において、
回転軸と、
前記回転軸の一側に結合されて回転力を提供する駆動モータと、
前記回転軸の他側に偏心するように備えられて、前記駆動モータの下部に形成されたシリンダの内部を回転するローリングピストンを支持する回転カムと、
前記ローリングピストンの上部及び下部に備えられ、前記回転軸を半径方向に支持する上部ラジアル軸受及び下部ラジアル軸受と、
前記駆動モータと前記上部ラジアル軸受との間に備えられた第１支持部材と、前記回転カと前記下部ラジアル軸受との間に備えられた第２支持部材とを有する軸方向支持部と、
を含むことを特徴とする回転式圧縮機。
【請求項２】
前記軸方向支持部は、
前記回転軸が回転する過程で前記回転軸の軸方向荷重を支持し、前記軸方向支持部が前記回転軸に結合された状態で前記上部ラジアル軸受と前記回転カムとの間が離隔することを特徴とする請求項１に記載の回転式圧縮機。
【請求項３】
前記上部ラジアル軸受は第１下部面を含み、
前記回転カムは上部カム面を含み、
前記第１下部面と前記上部カム面との間が離隔することを特徴とする請求項１または２に記載の回転式圧縮機。
【請求項４】
前記上部ラジアル軸受は第１上部面をさらに含み、
前記駆動モータはモータ下部面を含み、
前記第１支持部材は前記第１上部面と前記モータ下部面との間に結合されることを特徴とする請求項３に記載の回転式圧縮機。
【請求項５】
前記下部ラジアル軸受は第２上部面をさらに含み、
前記回転カムは下部カム面をさらに含み、
前記第２支持部材は前記第２上部面と前記下部カム面との間に結合されることを特徴とする請求項４に記載の回転式圧縮機。
【請求項６】
前記第１支持部材及び前記第２支持部材は、
スラスト玉軸受と、前記スラスト玉軸受の両側で前記スラスト玉軸受に回転可能に接触した一対のスラストリングとをそれぞれ含むことを特徴とする請求項１または２に記載の回転式圧縮機。
【請求項７】
回転式圧縮機において、
回転軸と、
前記回転軸の一側に結合されて回転力を提供する駆動モータと、
前記回転軸の他側に偏心するように備えられて、前記駆動モータの下部に形成された複数のシリンダの内部を回転する第１ローリングピストン及び第２ローリングピストンを支持する第１回転カム及び第２回転カムと、
前記第１ローリングピストンの上部及び前記第２ローリングピストンの下部に備えられ、前記回転軸を半径方向に支持する上部ラジアル軸受及び下部ラジアル軸受と、
前記駆動モータと前記上部ラジアル軸受との間に備えられた第１支持部材と、前記第２回転カムと前記下部ラジアル軸受との間に備えられた第２支持部材とを有する軸方向支持部とを含むことを特徴とする回転式圧縮機。
【請求項８】
前記軸方向支持部は、
前記回転軸が回転する過程で前記回転軸の軸方向荷重を支持し、前記軸方向支持部が前記回転軸に結合された状態で前記上部ラジアル軸受と前記第１回転カムとの間が離隔することを特徴とする請求項７に記載の回転式圧縮機。
【請求項９】
第１回転カムと第２回転カムとの間に介した中間プレートをさらに含み、
前記第１回転カムと前記中間プレートとの間、及び前記第２回転カムと前記中間プレートとの間のうちの少なくとも１つが離隔することを特徴とする請求項７または８に記載の回転式圧縮機。
【請求項１０】
空気調和機において、
冷媒を圧縮する回転式圧縮機を含み、
前記回転式圧縮機は、
回転軸と、
前記回転軸の一側に結合されて回転力を提供する駆動モータと、
前記駆動モータの下部に形成されたシリンダの内部に回転可能に前記回転軸の他側に結合されたローリングピストンを支持する回転カムと、
前記ローリングピストンの上部及び下部に備えられ、前記回転軸を半径方向に支持する上部ラジアル軸受及び下部ラジアル軸受と、
前記駆動モータと前記上部ラジアル軸受との間に備えられた第１支持部材と、前記回転カムと前記下部ラジアル軸受との間に備えられた第２支持部材とを有する軸方向支持部とを含むことを特徴とする空気調和機。
【請求項１１】
前記軸方向支持部は、前記回転軸が回転する過程で前記回転軸の軸方向荷重を支持し、
前記軸方向支持部が前記回転軸に結合された状態で前記上部ラジアル軸受と前記回転カムとの間が離隔することを特徴とする請求項１０に記載の空気調和機。
【請求項１２】
前記第１支持部材及び前記第２支持部材は、
スラスト玉軸受と、前記スラスト玉軸受の両側で前記スラスト玉軸受に回転可能に接触した一対のスラストリングとをそれぞれ含むことを特徴とする請求項１０または１１に記載の空気調和機。
【請求項１３】
空気調和機において、
冷媒を圧縮する回転式圧縮機を含み、
前記回転式圧縮機は、
回転軸と、
前記回転軸の一側に結合されて回転力を提供する駆動モータと、
前記回転軸の他側に偏心するように備えられて、前記駆動モータの下部に形成された複数のシリンダの内部を回転する第１ローリングピストン及び第２ローリングピストンを支持する第１回転カム及び第２回転カムと、
前記第１ローリングピストンの上部及び第２ローリングピストンの下部に備えられ、前記回転軸を半径方向に支持する上部ラジアル軸受及び下部ラジアル軸受と、
前記駆動モータと前記上部ラジアル軸受との間に備えられた第１支持部材と、前記第２回転カムと前記下部ラジアル軸受との間に備えられた第２支持部材とを有する軸方向支持部とを含むことを特徴とする空気調和機。
【請求項１４】
前記軸方向支持部は、
前記回転軸が回転する過程で前記回転軸の軸方向荷重を支持し、前記軸方向支持部が前記回転軸に結合された状態で前記上部ラジアル軸受と前記第１回転カムとの間が離隔することを特徴とする請求項１３に記載の空気調和機。
【請求項１５】
第１回転カムと第２回転カムとの間に介した中間プレートをさらに含み、
前記第１回転カムと前記中間プレートとの間、及び前記第２回転カムと前記中間プレートとの間のうちの少なくとも１つが離隔することを特徴とする請求項１３または１４に記載の空気調和機。
【発明の詳細な説明】
【技術分野】
【０００１】
本発明は、回転式圧縮機及びこれを有する空気調和機に関し、より詳しくは、回転軸を支持する構造を改善した回転式圧縮機及びこれを有する空気調和機に関する。
【背景技術】
【０００２】
一般に、空気調和機は使用者の要求によって暖房モード及び冷房モードで駆動される。冬に暖房モードで室内を暖かくし、夏に冷房モードで室内を凉しくする。これと共に、室内の湿度を調節し、室内の空気を快適な清浄状態に調節する。
【０００３】
一般に、空気調和機は、室内を冷房または暖房により涼しく又は暖かくさせる室内熱交換器及び室内ファンが装着された室内機と、室外熱交換器と室外ファン及び回転式圧縮機などを有する室外機とを含む。
【０００４】
暖房モードによる暖房サイクルは、まず、回転式圧縮機で冷媒を圧縮する。圧縮された冷媒は室内熱交換器に供給され、熱交換により室内側に暖かい空気が放出されて室内を暖かく保持することができる。
【０００５】
冷房モードによる冷房サイクルは、まず、回転式圧縮機で冷媒を圧縮する。圧縮された冷媒は室外熱交換器に供給され、熱交換により室内側に冷たい空気が放出されて室内を冷たく保持することができる。そして、室内を通過した冷媒は室外熱交換器に供給される。
【０００６】
このような冷房及び暖房過程で、回転式圧縮機は冷媒を媒介として圧縮過程を繰り返し、空気調和機では圧縮→凝縮→膨脹→蒸発過程が連続的に行われる。
【０００７】
一般に、回転式圧縮機は、固定子と回転子との間の磁束変化によって回転する駆動軸と、駆動軸の偏心部に結合され、駆動軸の回転によってシリンダの内部空間で回転するローリングピストンと、シリンダの一側に半径方向に直線往復運動が可能となるように挿入されると共に、その端部がローリングピストンの外周面に線接触してシリンダの内周面とローリングピストンの外周面によって形成される空間部を圧縮室又は吐出室に変換させるベーンとを含む。ベーンはローリングピストンに向かって出入可能にシリンダの一側に形成されたベーン室に収容される。
【０００８】
そして、回転式圧縮機が回転する過程で、回転軸の横長方向に作用するラジアル荷重と回転軸の軸方向に作用するスラスト荷重が発生する。このようなラジアル荷重とスラスト荷重をラジアル軸受が支持する。
【０００９】
ところが、従来技術は、回転軸の軸方向に作用するスラスト荷重をラジアル軸受が接触しながら支持するので、接触による摩擦力によって運転の際にモータに付加される荷重が増加する。また、接触面の潤滑などが不足すれば、回転軸を駆動させるための駆動力が増加し、摩耗の増加などによって圧縮室などに微細粒子などが混入する恐れがある。また、回転式圧縮機の起動の際に正確に起動しないという問題点を有する。
【発明の開示】
【発明が解決しようとする課題】
【００１０】
そこで、本発明の目的は、駆動モータに付加される負荷が低減できる回転式圧縮機及びこれを有する空気調和機を提供することにある。
【００１１】
また、本発明の他の目的は、駆動モータの起動を容易に行うことのできる回転式圧縮機及びこれを有する回転式圧縮機及び空気調和機を提供することにある。
【００１２】
さらに、本発明の他の目的は、摩擦部の摩耗が低減できる回転式圧縮機及びこれを有する回転式圧縮機及び空気調和機を提供することにある。
【課題を解決するための手段】
【００１３】
上記の目的は、本発明によって、回転式圧縮機において、回転軸と、前記回転軸の一側に結合されて回転力を提供する駆動モータと、前記回転軸の他側に偏心するように備えられて、前記駆動モータの下部に形成されたシリンダの内部を回転するローリングピストンを支持する回転カムと、前記ローリングピストンの上部及び下部に備えられ、前記回転軸を半径方向に支持する上部ラジアル軸受及び下部ラジアル軸受と、前記駆動モータと前記上部ラジアル軸受との間に備えられた第１支持部材と、前記回転カムと前記下部ラジアル軸受との間に備えられた第２支持部材とを有する軸方向支持部とを含むことを特徴とする回転式圧縮機によって達成される。
【００１４】
前記軸方向支持部は、前記回転軸が回転する過程で前記回転軸の軸方向荷重を支持し、前記軸方向支持部が前記回転軸に結合された状態で前記上部ラジアル軸受と前記回転カムとの間が離隔することを特徴とする。
【００１５】
前記上部ラジアル軸受は第１下部面を含み、前記回転カムは上部カム面を含み、前記第１下部面と前記上部カム面との間が離隔することを特徴とする。
【００１６】
前記上部ラジアル軸受は第１上部面をさらに含み、前記駆動モータはモータの下部面を含み、前記第１支持部材は前記第１上部面と前記モータの下部面との間に結合されることを特徴とする。
【００１７】
前記下部ラジアル軸受は第２上部面をさらに含み、前記回転カムは下部カム面をさらに含み、前記第２支持部材は前記第２上部面と前記下部カム面との間に結合されることを特徴とする。
【００１８】
前記第１支持部材及び前記第２支持部材は、スラスト玉軸受と、前記スラスト玉軸受の両側で前記スラスト玉軸受に回転可能に接触した一対のスラストリングとをそれぞれ含むことを特徴とする。
【００１９】
一方、本発明の目的は、圧縮式圧縮機において、回転軸と、前記回転軸の一側に結合されて回転力を提供する駆動モータと、前記回転軸の他側に偏心するように備えられて、前記駆動モータの下部に形成された複数のシリンダの内部を回転する第１ローリングピストン及び第２ローリングピストンを支持する第１回転カム及び第２回転カムと、前記第１ローリングピストンの上部及び第２ローリングピストンの下部に備えられ、前記回転軸を半径方向に支持する上部ラジアル軸受及び下部ラジアル軸受と、前記駆動モータと前記上部ラジアル軸受との間に備えられた第１支持部材と、前記第２回転カムと前記下部ラジアル軸受との間に備えられた第２支持部材とを有する軸方向支持部とを含むことを特徴とする回転式圧縮機によって達成される。
【００２０】
前記軸方向支持部は、前記回転軸が回転する過程で前記回転軸の軸方向荷重を支持し、前記軸方向支持部が前記回転軸に結合された状態で前記上部ラジアル軸受と前記第１回転カムとの間が離隔することを特徴とする。
【００２１】
第１回転カムと第２回転カムとの間に介した中間プレートをさらに含み、前記第１回転カムと前記中間プレートとの間、及び前記第２回転カムと前記中間プレートとの間のうちの少なくとも１つが離隔することを特徴とする。
【００２２】
一方、本発明の目的は、空気調和機において、冷媒を圧縮する回転式圧縮機を含み、前記回転式圧縮機は、回転軸と、前記回転軸の一側に結合されて回転力を提供する駆動モータと、前記駆動モータの下部に形成されたシリンダの内部に回転可能に前記回転軸の他側に結合されたローリングピストンを支持する回転カムと、前記ローリングピストンの上部及び下部に備えられ、前記回転軸を半径方向に支持する上部ラジアル軸受及び下部ラジアル軸受と、前記駆動モータと前記上部ラジアル軸受との間に備えられた第１支持部材と、前記回転カムと前記下部ラジアル軸受との間に備えられた第２支持部材とを有する軸方向支持部とを含むことを特徴とする空気調和機によって達成される。
【００２３】
前記軸方向支持部は、前記回転軸が回転する過程で前記回転軸の軸方向荷重を支持し、前記軸方向支持部が前記回転軸に結合された状態で前記上部ラジアル軸受と前記回転カムとの間が離隔することを特徴とする。
【００２４】
前記第１支持部材及び前記第２支持部材は、スラスト玉軸受と、前記スラスト玉軸受の両側で前記スラスト玉軸受に回転可能に接触した一対のスラストリングとをそれぞれ含むことを特徴とする。
【００２５】
一方、本発明の目的は、空気調和機において、冷媒を圧縮する回転式圧縮機を含み、前記回転式圧縮機は、回転軸と、前記回転軸の一側に結合されて回転力を提供する駆動モータと、前記回転軸の他側に偏心するように備えられて、前記駆動モータの下部に形成された複数のシリンダの内部を回転する第１ローリングピストン及び第２ローリングピストンを支持する第１回転カム及び第２回転カムと、前記第１ローリングピストンの上部及び第２ローリングピストンの下部に備えられ、前記回転軸を半径方向に支持する上部ラジアル軸受及び下部ラジアル軸受と、前記駆動モータと前記上部ラジアル軸受との間に備えられた第１支持部材と、前記第２回転カムと前記下部ラジアル軸受との間に備えられた第２支持部材とを有する軸方向支持部とを含むことを特徴とする空気調和機によって達成される。
前記軸方向支持部は、前記回転軸が回転する過程で前記回転軸の軸方向荷重を支持し、前記軸方向支持部が前記回転軸に結合された状態で前記上部ラジアル軸受と前記第１回転カムとの間が離隔することを特徴とする。
【００２６】
第１回転カムと第２回転カムとの間に介した中間プレートをさらに含み、前記第１回転カムと前記中間プレートとの間、及び前記第２回転カムと前記中間プレートとの間のうちの少なくとも１つが離隔することを特徴とする。
【発明の効果】
【００２７】
本発明によれば、駆動モータに付加される負荷が低減できる。
【００２８】
また、駆動モータの起動を容易に行うことができる。
【００２９】
さらに、摩擦部の摩耗が低減でき、異物の発生を減らして回転式圧縮機の信頼性を向上させることができる。
【発明を実施するための最良の形態】
【００３０】
以下、本発明による空気調和機について添付図面を参照しながら説明する。空気調和機は、天井型だけでなく窓埋入型、室内スタンド型などを含むことができるが、以下における本発明の実施形態として、室内機と、室外機とを有する空気調和機について説明する。
【００３１】
説明に先立って、種々の実施形態において、同一の構成を有する構成要素に対しては同一の符号を付けて代表的に第１実施形態で説明し、それ以外の実施形態においては第１実施形態と異なる構成についてのみ説明する。
【００３２】
[第１実施形態]
図１乃至図５に示すように、本発明の第１実施形態による空気調和機１００は回転式圧縮機２１０を含む。空気調和機１００は、室外ファン１２３と、室外機１２０とを含む。空気調和機は室内機（図示せず）を含む。
【００３３】
室外機１２０は、回転式圧縮機２１０と、室外ファン１２３と、室外熱交換器１２５とを含む。室外機１２０は、ケーシング１２７と、冷媒配管１２９とをさらに含む。室外機１２０は室内機と電気的に接続され、室内機と電気的信号及び電源供給によって駆動部２１０、１２３を制御する制御部（図示せず）をさらに含む。
【００３４】
駆動部２１０、１２３は、回転式圧縮機２１０と、室外ファン１２３とを含む。駆動部２１０、１２３は、回転式圧縮機２１０及び室外ファン１２３の以外にインバータによって駆動される他の部品を含んでもよい。
【００３５】
室外ファン１２３は、室外熱交換器１２５と近接するように設置され、室外空気を室外熱交換器１２５に接触させることで室外熱交換器１２５と室外空気との間で熱交換が起こる。
【００３６】
室外熱交換器１２５は、室外ファン１２３と近接するように設置され、外部空気と熱交換が行われるように接触面積を広く形成している。
【００３７】
ケーシング１２７は、駆動部２１０、１２３と、室外熱交換器１２５とを収容し、外観を形成する。
【００３８】
冷媒配管１２９は、冷媒を収容して室外機１２０と室内機との間を出入させる。
【００３９】
以下、説明の便宜上、各方向を次のように決める。まず、回転式圧縮機２１０の回転軸２３０が垂直状態に組み立てられる方向を“Ｘ”方向とし、上下方向の“Ｘ”方向の横長方向のうちの左右方向を“Ｙ”方向とし、上下方向の“Ｘ”方向の横長方向のうちの前後方向を“Ｚ”方向（図示せず）とする。
【００４０】
回転式圧縮機２１０は、回転軸２３０と、駆動モータ２２０と、回転カム２４３と、上部ラジアル軸受２５０と、下部ラジアル軸受２６０と、軸方向支持部２７０とを含む。回転式圧縮機２１０は、圧縮機ケーシング２１５と、ローリングピストン２４１と、シリンダ２４０とを有する。回転式圧縮機２１０は、気液分離管（図示せず）を有するアキュムレータ（図示せず）をさらに含むことができる。回転式圧縮機２１０は、蒸発器（図示せず）から蒸発した冷媒を吸入、圧縮して圧力を高め、比較的高い温度でも液化（気体が液体になること）できる状態を作る。回転式圧縮機２１０は、冷媒が冷媒配管１２９を通じて流れるようにする。
【００４１】
圧縮機ケーシング２１５は、回転式圧縮機２１０の外観を形成し、上部に結合されて圧縮された高圧冷媒の吐出を案内する冷媒吐出口（図示せず）を含む。
【００４２】
駆動モータ２２０は、電源の印加を受けて磁場を形成する固定子２２１と、固定子２２１に回転可能に設置されて回転軸２３０に結合される回転子２２３とを含む。
【００４３】
回転軸２３０は長い棒状に形成され、回転子２２３の回転力をローリングピストン２４１に伝達する。回転軸２３０は、ローリングピストン２４１と結合される部位に軸中心で偏心して突出した偏心回転カム２４３を含む。
【００４４】
回転軸２３０の回転により、“Ｘ−Ｚ”の平面上に作用する荷重であるラジアル荷重と、“Ｙ”方向に作用する荷重であるスラスト荷重とが発生する。回転軸２３０のラジアル荷重は、上部ラジアル軸受２５０及び下部ラジアル軸受２６０によって支持される。また、回転軸２３０のスラスト荷重は軸方向支持部２７０によって支持される。
【００４５】
これにより、回転軸２３０は軸方向に面接触して摩擦を生じながら支持される部分を有していないため、安定的に回転でき、そのため駆動モータ２２０の負荷を減らすことができる。
【００４６】
シリンダ２４０は、圧縮機ケーシング２１５の下部領域に圧縮冷媒が出入するように形成されている。シリンダ２４０は開閉バルブ（図示せず）などと連通され、冷媒がシリンダ２４０に吸入及び排出できる。シリンダ２４０の内部にはローリングピストン２４１が偏心して配置されている。
【００４７】
ローリングピストン２４１は、回転軸２３０の回転カム２４３と結合され、回転軸２３０の回転によって回転カム２４３と共に回転する。
【００４８】
図示していないベーンは、回転軸２３０の回転方向の“Ｘ”方向に直線往復運動が可能となるようにシリンダ２４０に出入可能に結合され、その端部がローリングピストン１４０の外周面に線接触してシリンダの内部を圧縮室又は吐出室に変換させる。
【００４９】
回転カム２４３は、回転軸２３０の下部に備えられてローリングピストン２４１と結合する。回転カム２４３は、上部ラジアル軸受２５０に近接する上部カム面２４５と、第２支持部材２７３に接触する下部カム面２４７とを含む。
【００５０】
上部ラジアル軸受２５０は、回転子２２３とシリンダ２４０との間に回転軸２３０と結合されている。上部ラジアル軸受２５０は、回転子２２３のモータ下部面２２３ａと対向する第１上部面２５１と、回転カム２４３の上部カム面２４５と対向する第１下部面２５３とを含む。第１上部面２５１には第１支持部材２７１が近接するように結合される。上部ラジアル軸受２５０は回転軸２３０の回転半径方向の荷重を上部で支持する。
【００５１】
下部ラジアル軸受２６０は、シリンダ２４０の下部に回転軸２３０と結合されている。下部ラジアル軸受２６０は回転カム２４３の下部カム面２４７と対向する第２上部面２６１を含む。第２上部面２６１には第２支持部材２７３が近接するように結合される。下部ラジアル軸受２６０は回転軸２３０の回転半径方向の荷重を下部で支持する。
【００５２】
これにより、ラジアル軸受２５０、２６０が回転軸２３０の回転による半径方向の荷重を安定的に支持することができる。
【００５３】
軸方向支持部２７０は、第１支持部材２７１と、第２支持部材２７３とを含む。
【００５４】
軸方向支持部２７０の第１支持部材２７１と第２支持部材２７３とが回転軸２３０に結合された状態で、上部ラジアル軸受２５０と回転カム２４３との間が離隔することが好ましい。これにより、回転カム２４３と上部ラジアル軸受２５０とが面接触しないことで相互摩擦力が発生せず、そのため駆動モータ２２０の負荷を減少させることができる。また、回転軸２３０が回転する過程で回転カム２４３と上部ラジアル軸受２５０の第１下部面２５３と間で摩耗が発生しない。これにより、摩耗による異物がシリンダ２４０の内部に混入せず回転式圧縮機２１０の信頼性を向上させることができる。
【００５５】
第１支持部材２７１は、駆動モータ２２０を構成する回転子２２３と上部ラジアル軸受２５０との間に備えられる。第１支持部材２７１は、回転子２２３のモータ下部面２２３ａと上部ラジアル軸受２５０の第１上部面２５１と近接するように回転軸２３０に結合される。
【００５６】
第２支持部材２７３は、回転カム２４３と下部ラジアル軸受２６０との間に備えられる。第２支持部材２７３は、回転カム２４３の下部カム面２４７と下部ラジアル軸受２６０の第２上部面２６１と近接するように回転軸２３０に結合される。
【００５７】
これにより、第１支持部材２７１及び第２支持部材２７３は、回転軸２３０の軸線方向の“Ｙ”方向に発生する荷重であるスラスト荷重を安定的に支持することができる。
【００５８】
第１支持部材２７１及び第２支持部材２７３は、一の実施形態として、スラスト玉軸受２７５と、スラストリング２７７とを含むことが好ましい。スラスト玉軸受２７５は、スラストボール２７５aと、スラストボール２７５ａを所定の間隔で支持するボールケース２７５ｂとを含む。
【００５９】
しかし、第１支持部材２７１及び第２支持部材２７３は本実施形態に限定されず、本発明の技術的思想を満足する範囲で公知の多様な手段を含むことができる。
【００６０】
ここで、第１支持部材２７１及び第２支持部材２７３は、回転子２２３のモータ下部面２２３ａと上部ラジアル軸受２５０、及び回転カム２４３の下部カム面２４７と下部ラジアル軸受２６０とそれぞれ接触するように結合されることが好ましい。これにより、回転軸２３０が回転する間に“Ｙ”方向に移動することを予防することができる。
【００６１】
しかし、必要に応じ、支持部材２７１、２７３のうちのいずれか１つだけがラジアル軸受２５０、２６０のうちの１つと接触するように近接して結合できる。この時、ラジアル軸受２５０、２６０と接触しない支持部材２７１、２７３は、ラジアル軸受２５０、２６０との間隔を最小に保持して、回転軸２３０の“Ｙ”方向への移動を予防及び最小化することができる。
【００６２】
このような構成によって、一の実施形態による空気調和機１００の回転式圧縮機２１０の作動過程について、図６を参照して説明する。
【００６３】
空気調和機１００に電源が印加されると、回転式圧縮機２１０の駆動モータ２２０に電流が供給される。これにより、固定子２２１と回転子２２３との相互作用によって回転子２２３及び回転子２２３に結合された回転軸２３０が回転する。回転軸２３０の下部に備えられた回転カム２４３の回転によって、回転カム２４３の外周面に結合されたローリングピストン２４１も回転する。これにより、シリンダ２４０に結合されてローリングピストン２４１と接触するベーンによって吸入室と圧縮室が区切られ、ローリングピストン２４１の回転によって冷媒が吸入、圧縮及び排出される過程を繰り返す。
【００６４】
この時、回転軸２３０が回転する時、回転軸２３０の軸方向の“Ｙ”方向に作用する力は、第１支持部材２７１と第２支持部材２７３とを含む回転軸２３０に結合された軸方向支持部２７０によって支持される。
【００６５】
つまり、スラスト玉軸受２７５のスラストボール２７５ａは、スラストリング２７７と転がり接触して回転軸２３０の“Ｙ”方向のスラスト荷重を支持する。
【００６６】
これにより、回転軸２３０が回転する過程でスラスト荷重は軸方向支持部２７０によって支持され、回転軸２３０と面接触する面積を最小化することができる。したがって、駆動モータ２２０の起動負荷及び駆動による負荷を減少させることができる。
【００６７】
[第２実施形態]
本発明の第２実施形態による空気調和機３００は、図７に示すように、回転式圧縮機３１０を含む。
【００６８】
回転式圧縮機３１０は、回転軸３３０と、回転軸３３０の一側に結合されて回転力を提供する駆動モータ２２０と、回転軸３３０の他側に偏心するように備えられて、駆動モータ２２０の下部に備えられた複数のシリンダである第１シリンダ３４０ａ及び第２シリンダ３４０ｂを含む。回転式圧縮機３１０は、第１シリンダ３４０ａ及び第２シリンダ３４０ｂの内部をそれぞれ回転する第１ローリングピストン３４１ａ及び第２ローリングピストン３４１ｂを支持する第１回転カム３４３ａと第２回転カム３４３ｂとを含む。回転式圧縮機３１０は、第１ローリングピストン３４１ａの上部及び第２ローリングピストン３４１ｂの下部に備えられ、回転軸３３０の半径方向に支持する上部ラジアル軸受３５０と下部ラジアル軸受３６０とをさらに含む。回転式圧縮機３１０は、駆動モータ２２０と上部ラジアル軸受３５０との間に備えられた第１支持部材３７１と、第２回転カム３４３ｂと下部ラジアル軸受３６０との間に備えられた第２支持部材３７３とを有する軸方向支持部３７０を含む。
【００６９】
ここで、第２実施形態は、第１実施形態と比べて複式回転式圧縮機３１０であることを特徴とする。つまり、第１シリンダ３４０ａと第２シリンダ３４０ｂとを含む複数のシリンダ３４０ａ、３４０ｂを有する。ここで、シリンダ３４０ａ、３４０ｂは必要に応じて３つ以上備えてもよい。
【００７０】
ここで、軸方向支持部３７０は、回転軸３３０が回転する過程で回転軸３３０の軸方向荷重を支持し、軸方向支持部３７０が回転軸３３０に結合された状態で上部ラジアル軸受３５０と第１回転カム３４３ａとの間が離隔することが好ましい。これに対する内容は第１実施形態で説明したので、以下では省略する。
【００７１】
また、回転式圧縮機３１０は、第１回転カム３４３ａと第２回転カム３４３ｂとの間に介した中間プレート３８０をさらに含み、第１回転カム３４３ａと中間プレート３８０との間、及び第２回転カム２４３ｂと中間プレート３８０との間のうちの少なくとも１つが離隔することが好ましい。つまり、第１回転カム３４３ａの第１下部カム面３４５ｂと中間プレート３８０のプレート上部面２８１との間、または、第２回転カム２４３ｂの第２上部カム面３４７ａと中間プレート３８０のプレート下部面２８３との間のうちの少なくともいずれか１つが離隔することが好ましい。
【００７２】
これにより、回転軸３３０が回転する過程で回転軸３３０の第１回転カム２４３と第２回転カム３４３ｂとが中間プレート３８０に面接触しないので、第１実施形態で説明した通りの效果を得ることができる。
【００７３】
本発明の第２実施形態による空気調和機３００の作動過程は、前述の第１実施形態と同一乃至類似するので、以下で説明を省略する。
【００７４】
また、本発明による空気調和機は、前述の実施形態にのみ適用されるわけではなく、多様な種類の空気調和機に適用できる。
【図面の簡単な説明】
【００７５】
【図１】本発明の一実施形態による空気調和機の斜視図である。
【図２】図１の回転式圧縮機の第１実施形態を示す断面図である。
【図３】図２の“ＩＩＩ”部分の拡大断面図である。
【図４】図２の“ＩＶ”部分の拡大断面図である。
【図５】図２の軸方向支持部の分解斜視図である。
【図６】図２の作動状態を示す断面図である。
【図７】図１の回転式圧縮機の第２実施形態を示す断面図である。
【符号の説明】
【００７６】
１００  空気調和機
１１０  室内機
１２０  室外機
１２３  室外ファン
１２５  室外熱交換器
１２７  ケーシング
１２９  冷却配管
２１０  回転式圧縮機
２１５  圧縮機ケーシング
２２０  駆動モータ
２２１  固定子
２２３  回転子
２２３ａ  モータ下部面
２３０  回転軸
２４０  シリンダ
２４１  ローリングピストン
２４３  回転カム
２４３ｂ  回転カム
２４５  上部カム面
２４７  下部カム面
２５０  上部ラジアル軸受
２５１  第１上部面
２５３  第１下部面
２６０  下部ラジアル軸受
２６１  第２下部上面
２７０  軸方向支持部
２７１  第１支持部材
２７３  第２支持部材
２７５  スラスト玉軸受
２７５ａ  スラストボール
２７５ｂ  ボールケース
２７７  スラストリング
２８１  プレート上面部
３００  空気調和機
３１０  回転式圧縮機
３３０  回転軸
３４０ａ  第１シリンダ
３４０ｂ  第２シリンダ
３４１ａ  第１ローリングピストン
３４１ｂ  第２ローリングピストン
３４３ａ  第１回転カム
３４３ｂ  第２回転カム
３４５ａ  第１上部カム面
３４５ｂ  第１下部カム面
３４７ａ  第２上部カム面
３４７ｂ  第２下部カム面
３５０  上部ラジアル軸受
３６０  下部ラジアル軸受
３７０  軸方向支持部
３７１  第１支持部材
３７３  第２支持部材
３８０  中間プレート
【図１】
2008169827.tif 000003
【図２】
2008169827.tif 000004
【図３】
2008169827.tif 000005
【図４】
2008169827.tif 000006
【図５】
2008169827.tif 000007
【図６】
2008169827.tif 000008
【図７】
2008169827.tif 000009